(57)【要約】【課題】取付け方向の違いに関係なく、常時、表示手段を確認でき、見る角度を変えなくても表示手段をはっきりと視認できるシリンジラベル及びシリンジを提供する。【解決手段】シリンジ本体１５の外周面に巻回状態で貼付され、シリンジ本体１５内に注入された液体Ｌの吐出量やシリンジ本体１５内に注入される液体Ｌの注入量を確認するための表示手段３９が付されており、透明色のラベル地５１と、ラベル地５１に対して印刷され、シリンジ本体１５の巻回方向の複数ヶ所に設けられる上記表示手段３９と、表示手段３９の印刷に先立って、表示手段３９が印刷されるラベル地５１の対応する位置に印刷される下地４９とを具備し、表示手段３９と下地４９の色を明度ないし彩度を異にする別々の色によって構成したものである。【選択図】  図２
2008272162.tif 000002
【特許請求の範囲】
【請求項１】
シリンジ本体の外周面に巻回状態で貼付され、シリンジ本体内に注入された液体の吐出量やシリンジ本体内に注入される液体の注入量を確認するための表示手段が付されたシリンジラベルにおいて、
該シリンジラベルは透明色のラベル地と、
該ラベル地に対して印刷され、シリンジ本体の巻回方向の複数ヶ所に設けられる表示手段と、
上記表示手段の印刷に先立って、上記表示手段が印刷されるラベル地の対応する位置に印刷される下地と、を具備しており、
上記表示手段と下地の色は明度ないし彩度を異にする別々の色によって構成されていることを特徴とするシリンジラベル。
【請求項２】
上記表示手段は目盛りであることを特徴とする請求項１記載のシリンジラベル。
【請求項３】
上記表示手段の色は黒色であり、上記下地の色は白色であることを特徴とする請求項１または２記載のシリンジラベル。
【請求項４】
上記下地は上記表示手段の輪郭からはみ出すように表示手段より大きめに形成されていることを特徴とする請求項１〜３のいずれかに記載のシリンジラベル。
【請求項５】
液体を注入するシリンジ本体と、シリンジ本体内に注入された液体を押し出すプランジャと、シリンジ本体の外周面に表示され、シリンジ本体内に注入された液体の吐出量やシリンジ本体内に注入される液体の注入量を確認するための表示手段と、を具備したシリンジにおいて、
上記シリンジ本体は透明であり、
上記表示手段はシリンジ本体の巻回方向の複数ヶ所に設けられており、これらの表示手段の背面には表示手段の色と明度ないし彩度を異にする別の色によって構成される下地が設けられていることを特徴とするシリンジ。
【請求項６】
上記表示手段は目盛りであることを特徴とする請求項５記載のシリンジ。
【請求項７】
上記表示手段の色は黒色であり、上記下地の色は白色であることを特徴とする請求項５または６記載のシリンジ。
【請求項８】
上記下地は上記表示手段の輪郭からはみ出すように表示手段より大きめに形成されていることを特徴とする請求項５〜７のいずれかに記載のシリンジ。
【請求項９】
上記表示手段と下地は透明色のラベル地に形成されたシリンジラベルによって構成されていることを特徴とする請求項５〜８のいずれかに記載のシリンジ。
【発明の詳細な説明】
【技術分野】
【０００１】
本発明はシリンジに注入された液体の吐出量やシリンジに注入される液体の注入量を確認するための表示手段が付されたシリンジラベル及びシリンジに関する。
【背景技術】
【０００２】
体内への薬液の注入等に際してシリンジが広く使用されている。シリンジは一端が閉塞された円筒容器状のシリンジ本体と、該シリンジ本体の開放された他端側から挿入され、シリンジ本体の内周面に隙間なく摺接するプランジャとを具備することによって構成されている。
そしてシリンジ本体内には薬液が注入され、プランジャを押し込むことによってシリンジ本体の閉塞された一端に形成されているノズル部と、該ノズル部に取り付けられるチューブと、該チューブの先端に取り付けられ、皮膚に突き刺した針内を通って体内に薬液が注入されるようになっている。
【０００３】
また、シリンジ本体の外周面にはシリンジ本体内に注入された薬液の吐出量を確認したり、シリンジ本体内に注入される薬液の注入量を確認するための目盛りが設けられている。また、このような目盛りには下記の特許文献１、２に示すように薬液の吐出量や注入量を確認し易くするための工夫が施されている。
例えば特許文献１では透明なシリンジ本体に対して白以外の色で目盛りを付し、当該目盛りと対向する部分が白、他が透明なプランジャとを備えるシリンジが開示されている。
また、特許文献２では透明なシリンジ本体に対して目盛りを付し、当該目盛りと反対側の位置に他の部分よりも透明度を低くすることによって陰影手段を形成したシリンジが開示されている。
【０００４】
一方、上記シリンジを人工透析等に使用する場合には、例えば約１０〜２０ミリリットルの薬液を５時間程度かけてゆっくりと投与するような場合がある。このような場合には人手による投与は現実的に難しいため、上記シリンジを持続注入装置に取り付けて自動的に薬液を投与するようにしている。
そしてこのような持続注入装置を使用する場合にも、シリンジからの薬液の吐出量の確認は上記目盛りを使用して行っている。
【０００５】
【特許文献１】実公昭２−１４７８４号公報
【０００６】
【特許文献２】特開平２−２６５５６９号公報
【発明の開示】
【発明が解決しようとする課題】
【０００７】
上記従来のシリンジによると次のような問題があった。
まず、持続注入装置にシリンジを取り付ける場合にはシリンジ本体の他端部に形成されている指掛け部を基準にして取り付けられる構成が多く採用されている。しかし、指掛け部は上下左右に対称な形状を有しているため、上下、左右の一方を規制したとしても目盛りが表側に現れる状態と、目盛りが裏側に回って見えない状態との２方向からの取り付けが可能になっている。
このような場合、目盛りを少なくとも対向する２ヶ所に設ければ上記シリンジの取付け方向の違いに関係なく、常時、いずれかの目盛りを視認することができるが、シリンジ本体が透明な材料によって形成されているため見る角度によって裏側に位置する他方の目盛りが邪魔になって表側の目盛りが見難くなってしまう場合がある。
【０００８】
本発明はこのような点に基づいてなされたものでその目的とするところは、シリンジの取付け方向の違いに関係なく、常時、表示手段を確認でき、見る角度を変えなくても表示手段をはっきりと視認できる使い勝手と視認性とを兼ね備えたシリンジラベル及びシリンジを提供することにある。
【課題を解決するための手段】
【０００９】
上記目的を達成するべく本発明の請求項１によるシリンジラベルは、シリンジ本体の外周面に巻回状態で貼付され、シリンジ本体内に注入された液体の吐出量やシリンジ本体内に注入される液体の注入量を確認するための表示手段が付されたシリンジラベルにおいて、該シリンジラベルは透明色のラベル地と、該ラベル地に対して印刷され、シリンジ本体の巻回方向の複数ヶ所に設けられる表示手段と、上記表示手段の印刷に先立って、上記表示手段が印刷されるラベル地の対応する位置に印刷される下地と、を具備しており、上記表示手段と下地の色は明度ないし彩度を異にする別々の色によって構成されていることを特徴とするものである。
【００１０】
また、請求項２によるシリンジラベルは、請求項１記載のシリンジラベルにおいて、上記表示手段は目盛りであることを特徴とするものである。
【００１１】
また、請求項３によるシリンジラベルは、請求項１または２記載のシリンジラベルにおいて、上記表示手段の色は黒色であり、上記下地の色は白色であることを特徴とするものである。
【００１２】
また、請求項４によるシリンジラベルは、請求項１〜３のいずれかに記載のシリンジラベルにおいて、上記下地は上記表示手段の輪郭からはみ出すように表示手段より大きめに形成されていることを特徴とするものである。
【００１３】
また、請求項５によるシリンジは、液体を注入するシリンジ本体と、シリンジ本体内に注入された液体を押し出すプランジャと、シリンジ本体の外周面に表示され、シリンジ本体内に注入された液体の吐出量やシリンジ本体内に注入される液体の注入量を確認するための表示手段と、を具備したシリンジにおいて、上記シリンジ本体は透明であり、上記表示手段はシリンジ本体の巻回方向の複数ヶ所に設けられており、これらの表示手段の背面には表示手段の色と明度ないし彩度を異にする別の色によって構成される下地が設けられていることを特徴とするものである。
【００１４】
また、請求項６によるシリンジは、請求項５記載のシリンジにおいて、上記表示手段は目盛りであることを特徴とするものである。
【００１５】
また、請求項７によるシリンジは、請求項５または６記載のシリンジにおいて、上記表示手段の色は黒色であり、上記下地の色は白色であることを特徴とするものである。
【００１６】
また、請求項８によるシリンジは、請求項５〜７のいずれかに記載のシリンジにおいて、上記下地は上記表示手段の輪郭からはみ出すように表示手段より大きめに形成されていることを特徴とするものである。
【００１７】
また、請求項９によるシリンジは、請求項５〜８のいずれかに記載のシリンジにおいて、上記表示手段と下地は透明色のラベル地に形成されたシリンジラベルによって構成されていることを特徴とするものである。
【００１８】
上記の手段によると以下のような作用が得られる。例えば、本発明によるシリンジラベルが貼付されたシリンジによれば、当該シリンジを持続注入装置に取り付けるに際してシリンジの取付け方向を裏、表、特に気にすることなく取り付けることが可能になる。すなわち、シリンジ本体の巻回方向の複数ヶ所に設けられている表示手段のいずれかが必ず表側に現れるため、当該表側に現れた表示手段によってシリンジ本体内に注入された液体の吐出量等を確認することができる。
【００１９】
また、各表示手段の背面側には表示手段を際立たせる明度ないし彩度を異にする別の色によって構成されている下地が設けられているため、裏側に回った表示手段については、表側からは下地のみが見えて表示手段は視認できない状態になる。したがって見る角度によって裏側に位置する他の表示手段が邪魔になって表側の表示手段が見難くなることはない。
【００２０】
また、上記表示手段が目盛りであれば、表側の目盛りと裏側の目盛りが重なって２重に見えることはなくなり、表示手段の色を黒色、下地の色を白色にすれば表示手段がより強調されて視認し易くなる。また、２つの目盛りを対向する位置に設けた場合にも好適に視認し易くなるものである。
また、下地を表示手段の輪郭からはみ出すように表示手段より大きめに形成した場合には、例えば印刷時に版のズレ等が生じた場合でも表示手段の背面が常に下地によって覆われるようになる。また、表面側からは表示手段の周りに縁として下地が現れるから、液体に色が付いている場合でも明確に表示手段が識別できるようになる。
そして上記各作用が本発明によるシリンジによっても同様に奏されるようになる。
【発明の効果】
【００２１】
本発明のシリンジラベルによると、シリンジの取付け方向の違いに関係なく、常時、表示手段を確認でき、見る角度を変えなくても表示手段をはっきりと視認できる使い勝手と視認性とを兼ね備えたシリンジラベルを提供することができる。
そして表示手段が目盛りであれば、表側の目盛りと裏側の目盛りが重なって目盛りが見難くなる事態が防止され、表示手段の色を黒色、下地の色を白色にすれば、表示手段が際立って一層、視認し易くなる。
【００２２】
また、下地を表示手段より大きめに形成した場合には、印刷時に生ずる版のズレ等によって表示手段の背面の一部が露出してしまう事態が防止され、シリンジ本体内の液体に色が付いている場合でもはっきりと表示手段が視認できるようになる。
そして上記各効果が本発明によるシリンジによっても同様に発揮されるようになる。
【発明を実施するための最良の形態】
【００２３】
以下、図１乃至図５を参照して本発明の実施の形態を説明する。図１は本発明のシリンジを持続注入装置に取り付けた状態を示す平面図、図２は本発明のシリンジラベルを貼付したシリンジを示す平面図、図３は同上、表示手段周辺を拡大して示す平面図、図４は下地を有しないシリンジラベルを貼付したシリンジを使用した場合の表示手段周辺を拡大して示す平面図、図５は本発明のシリンジラベルの展開状態を示す表面図（ａ）と裏面図（ｂ）である。
【００２４】
本発明のシリンジ１は図１に示すような持続注入装置３に対して取り付けられることによって一例として使用される。
そして本実施の形態では２０ミリリットルの液体Ｌが注入されたシリンジ１を約５時間かけて自動的に持続注入する目的で持続注入装置３が使用されている。
持続注入装置３は角箱状のケーシング５と、ケーシング５の上面手前に配置されているシリンジセット部７と、ケーシング５の上面奥部側に配置されている操作部９と、ケーシング５内に設けられているプランジャ押圧駆動部１１と、上記シリンジセット部７の一例として右端側に配置され、上記プランジャ押圧駆動部１１と接続されているプランジャ押圧部１３とを具備することによって基本的に構成されている。
【００２５】
シリンジセット部７にはシリンジ１のシリンジ本体１５の周胴部を保持するシリンジホルダ１７と、シリンジ本体１５の開放端側に設けられている指掛け部１９を係止する係止部２１と、プランジャ２３のロッド２５における外方端面に形成されているフランジ状の押圧板２７を押圧する上記プランジャ押圧部１３とを具備することによって構成されている。
尚、上記シリンジホルダ１７によってシリンジ本体１５の前後方向の移動が防止され、上記係止部２１によってシリンジ本体１５の左右方向の移動が防止されている。
【００２６】
操作部９には装置の起動、停止を切り替えたり、注入持続時間等を設定するための操作ボタン２９と、操作ボタン２９によって設定した設定値や現在の液体Ｌの注入量等を表示する表示部３１とが設けられている。
プランジャ押圧駆動部１１は一例として雄ネジが刻設されたネジ軸３３と、上記ネジ軸３３と螺合することによってプランジャ２３の押圧方向Ｐ及び吸引方向Ｑに移動する雌ネジが刻設された雌ネジブロック３５と、上記雌ネジブロック３５に一端が接続され、他端が上記プランジャ押圧部１３に接続されている連結ロッド３７とを備えている。
【００２７】
そしてこのような持続注入装置３に対して取り付けられる本発明のシリンジ１は液体Ｌを注入するシリンジ本体１５と、シリンジ本体１５内に注入された液体Ｌを押し出すプランジャ２３と、シリンジ本体１５の外周面に表示され、シリンジ本体１５内に注入された液体Ｌの吐出量やシリンジ本体１５内に注入される液体Ｌの注入量を確認するための表示手段３９とを具備している。
上記シリンジ本体１５は一端が閉塞された透明な円筒容器状の部材で一例としてプラスチック材料によって形成されている。シリンジ本体１５の開放された他端側にはフランジ状に外方に張り出した上述した指掛け部１９が形成されている。
【００２８】
尚、指掛け部１９は上下方向に多く張り出すように形成されており、当該多く張り出した部分に指を掛けるように構成されている。一方、シリンジ本体１５の閉塞された一端面にはシリンジ本体１５の周胴部よりも縮径されたノズル部４１が形成されている。そして該ノズル部４１には図２に示す未使用状態ではプラグ４３が取り付けられ、ノズル部４１の開口が封止されている。また、図１に示す使用状態ではチューブ４５が取り付けられて、シリンジ１内の液体Ｌの投与を受ける患者等に当該液体Ｌを供給できるようになっている。
【００２９】
プランジャ２３は上記シリンジ本体１５の周胴部に挿嵌されて、シリンジ本体１５の内周面に密着した状態で摺接する摺動子４７と一端が摺動子４７に接続され、他端が外方に向けて直線的に延びている上記ロッド２５と、該ロッド２５における外方端面に形成されている一例として円板状の上記押圧板２７とを備えることによって構成されている。
また、表示手段３９はシリンジ本体１５の巻回方向に複数ヶ所（本実施の形態ではシリンジ本体１５の周胴部の対向する位置に２ヶ所）設けられている。そして表示手段３９の背面には表示手段３９の色と明度ないし彩度を異にする別の色によって構成される下地４９が設けられている。
【００３０】
また本実施の形態では上記表示手段３９と下地４９は透明色のラベル地５１に形成された本発明のシリンジラベル５３によって構成されている。
シリンジラベル５３は、図５に示すように、透明色のラベル地５１と、上記ラベル地５１に対して最初に印刷される下地４９と、上記下地４９上に印刷される表示手段３９とを具備している。
そして、上記表示手段３９と下地４９は上述したようにシリンジ本体１５に巻かれた状態でそれぞれ対向する位置に来るように所定の間隔を隔てて２ヶ所に設けられている。
【００３１】
表示手段３９はシリンジ本体１５内に注入された液体Ｌの分量を示す目盛り５５と、該目盛り５５が示す液体Ｌの分量を数字によって表示する数字標記５７とによって一例として構成されている。
そして上記目盛り５５と数字標記５７の色は一例として黒色によって構成されており、これらの目盛り５５及び数字標記５７と対応する位置に設けられる下地４９の色は一例として白色によって構成されている。
【００３２】
また、上記下地４９は上記目盛り５５や数字標記５７の輪郭からはみ出すように上記目盛り５５や数字標記５７より大きめに形成されている。
具体的には、印刷時に生ずる版のズレ量を考慮して、目盛り５５や数字標記５７の輪郭から約０．５ｍｍはみ出すように下地４９が形成されている。
【００３３】
以上の構成を基にその作用を図３、４を参照して説明する。
まず、図４に基づいて表示手段３９の背面に下地４９を設けなかった場合について説明する。この場合には液体Ｌの透明度が高い場合、表側から裏側に位置する表示手段３９がはっきりと視認できてしまう。したがって、見る角度によって表側の目盛り５５と裏側の目盛り５５とが重なって２重に見えてしまい、目盛り５５の読み取りが難しくなってしまう。また数字標記５７についても同様の現象が生ずる。
【００３４】
これに対し、図３に示すように表示手段３９の背面に下地４９を設けた場合には、表側から視認できるのは裏側に位置する下地４９のみである。そして、上記下地４９は表側の表示手段３９とは明度ないし彩度を異にする別の色によって構成されているため表側の表示手段３９の読み取りには何ら邪魔にならない。したがって目盛り５５の読み取りが容易になる。
【００３５】
以上、本実施の形態によると、次のような効果を奏することができる。
まず、表示手段３９がシリンジ本体１５の巻回方向の複数ヶ所に設けられているから、シリンジ１の取付け方向の違いに関係なく、常時、表示手段３９を確認できるようになる。
また、表示手段３９の背面に設けた下地４９によって、わざわざ見る角度を変えなくても表示手段３９をはっきりと視認できるようになる。
【００３６】
そして、表側の目盛り５５と裏側の目盛り５５が重なって２重に見えることもなく、表示手段３９を黒色、下地４９を白色とすることによって表示手段３９が際立って一層、視認し易くなる。
また、下地４９を表示手段３９より大きめに形成したことにより、印刷時に生ずる版のズレやシリンジ本体１５内の液体Ｌの色に影響されることなく、はっきりと表示手段３９を視認して正確にシリンジ本体１５内の液体Ｌの吐出量や注入量を確認できるようになる。
【００３７】
なお、本発明のシリンジラベル５３及びシリンジ１は上記の実施の形態のものに限定されず、その発明の要旨内での設計変更が可能である。
例えば、表示手段３９と下地４９の色の組合せは表示手段３９の視認性を向上させる各種の組合せが可能であり、上述した黒色と白色の組合せに限定されず、明度と彩度を異にする別々の色の組み合わせが可能である。
また、表示手段３９は単一の色によって構成する他、複数の色の組合せによって構成することも可能である。
また、表示手段３９の態様も、図示した目盛りや数字標記に限らず、目盛りとして目印となる図形等とすることも可能である。
また、ラベル地５１の空いたスペースにはシリンジ１内に注入される液体Ｌの種類や分量、使用上の注意等を表示することも可能であり、このような表示に対しても下地４９を設けておけば、表示手段３９の視認性が向上する。
また、下地４９の大きさは表示手段３９の大きさと同じでもよいし、表示手段３９の視認性を損なわない範囲で表示手段３９より多少、小さくても構わない。
【産業上の利用可能性】
【００３８】
本発明は、シリンジ内の液体の吐出量や注入量を確認するための表示手段が付されたシリンジラベル及びシリンジの製造、使用分野等で利用でき、特にシリンジの使い勝手と表示手段の視認性を向上させたい場合に利用可能性を有する。
【図面の簡単な説明】
【００３９】
【図１】本発明の実施の形態を示す図で、シリンジを持続注入装置に取り付けた状態を示す平面図である。
【図２】本発明の実施の形態を示す図で、シリンジを示す平面図である。
【図３】本発明の実施の形態を示す図で、表示手段周辺を拡大して示す平面図である。
【図４】本発明の実施の形態と比較する比較例を示す図で、表示手段の背景に下地を設けない場合の表示手段周辺を拡大して示す平面図である。
【図５】本発明の実施の形態を示す図で、展開状態を示す表面図（ａ）と裏面図（ｂ）である。
【符号の説明】
【００４０】
１  シリンジ
３  持続注入装置
５  ケーシング
７  シリンジセット部
９  操作部
１１  プランジャ押圧駆動部
１３  プランジャ押圧部
１５  シリンジ本体
１７  シリンジホルダ
１９  指掛け部
２１  係止部
２３  プランジャ
２５  ロッド
２７  押圧板
２９  操作ボタン
３１  表示部
３３  ネジ軸
３５  雌ネジブロック
３７  連結ロッド
３９  表示手段
４１  ノズル部
４３  プラグ
４５  チューブ
４７  摺動子
４９  下地
５１  ラベル地
５３  シリンジラベル
５５  目盛り
５７  数字標記
Ｌ  液体
Ｐ  押圧方向
Ｑ  吸引方向
【図１】
2008272162.tif 000003
【図２】
2008272162.tif 000004
【図３】
2008272162.tif 000005
【図４】
2008272162.tif 000006
【図５】
2008272162.tif 000007